(57)【要約】【課題】浴室の壁面を加工することなく、風呂蓋を浴室の壁面に立て掛けた状態に支持できるようにする。また、風呂蓋を支持するために、手摺りが取付位置の制約を受け、使い勝手が悪くなったり、その取付強度が低下したりすることがないようにする。【解決手段】浴室の壁面Ｗに手摺り１を固定保持した左右一対の取付基部１１，１１に、風呂蓋４の下端を載置可能な受部１３ａを一体的に設けた。また、受部１３ａ上の壁面Ｗには、間欠的に回動するレバー部材２３を備えた保持具２を、任意の位置に取り付けられるように吸着手段で吸着固定することとした。そして、手摺り１の受部１３ａに載置された風呂蓋４の上端外側を、この保持具２のレバー部材２３で抑えることにより、風呂蓋４を倒れないように壁面Ｗに立て掛けた状態に保持することとした。【選択図】  図１
2005118067.tif 000002
【特許請求の範囲】
【請求項１】
浴室の壁面に手摺りを固定保持した左右一対の取付基部で風呂蓋の下端を支持させ、壁面の適所に吸着固定した保持具で該風呂蓋の上端を係止することにより、風呂蓋を浴室の壁面に立て掛け状態に支持させるようにしたことを特徴とする風呂蓋の支持方法。
【請求項２】
浴室の壁面に固定される取付基部に風呂蓋を載置可能な受部が一体的に設けられた手摺りと、
この手摺りの上側の浴室壁面に、磁石または吸盤で位置変更可能に吸着固定され、表面にレバー部材が回動可能に設けられた保持具とからなり、
手摺りの受部上に載置された風呂蓋の上部が、上記保持具のレバー部材で転倒不可に係止保持されるようになされたことを特徴とする風呂蓋の支持装置。
【発明の詳細な説明】
【技術分野】
【０００１】
本発明は、風呂蓋を浴室の壁面に立て掛けた状態で支持させる方法と、その支持装置に関する。
【背景技術】
【０００２】
一般に、浴槽には風呂蓋が設けられており、通常浴槽の周縁部に載せられてその上方開口部を覆っており、入浴時にはその風呂蓋を取り除いて洗い場に立て掛けていた。そのため風呂蓋が洗い場の一部を専有し、身体を洗う場合に邪魔になるという問題があった。
【０００３】
そこで、この点を改善するために、従来から種々の発明がなされており、例えば、浴室の壁面の上下に、それぞれ所定形状の支持体を取り付け、この上下の支持体間で風呂蓋を壁面に係止保持するようにしたものがあった。（例えば、特許文献１参照）。
【０００４】
また、この他に浴室内に設置される手摺りを利用して、この手摺りの握棒部または架設基部に、浴室壁面との間に挿手空間を留保することのできる風呂蓋支持具を突設し、手摺りの下側に位置した浴槽の周縁部に立て掛けられた風呂蓋を、この支持具で起立保持するようにしたものもあった。（例えば、特許文献２参照）。
【特許文献１】実開平２−１１４８１号公報（第７−８頁、第５図）
【特許文献２】実公平４−２１９６３号公報（第２頁、第１図）
【発明の開示】
【発明が解決しようとする課題】
【０００５】
上述した従来の風呂蓋の支持方法や装置のうち、前者の浴室の壁面に取り付けた上下の支持体の間で風呂蓋を保持するようにしたものは、それぞれの支持体を風呂蓋の寸法に応じて壁面に固定しなくてはならず、位置の決定や取付作業に手間を要するという問題点があった。また、一度、取り付けると、位置を変えることができず、サイズの異なる風呂蓋を保持することができないという問題点もあった。さらに、この支持体を取り付けた個所には、手摺りを取り付ける事ができず、互いがその取付位置に制約を受けるという問題点も有していた。
【０００６】
また、後者の手摺りに風呂蓋支持具を取り付けたものは、互いの取付位置が干渉するという問題点は解決されるものの、浴槽上に立て掛けた風呂蓋を安定保持するためには、手摺りを高い位置に固定せざるを得ず、その使い勝手が悪くなるという問題が生じた。また、手摺りをＬ字形とし、その垂直部分で風呂蓋を倒れないように保持することとすれば、手摺りの水平部分を比較的低い位置にすることもできるが、この場合、壁面との間に風呂蓋を挿入するためＬ字形に曲がった中間部分を壁面に固定することができず、取付強度が低下し、身体の保持が不安定になったり、両端の取付部分に過大な荷重が集中するおそれがあり、取付部の水漏れや損傷などの思わぬトラブルを引き起こすおそれもあった。
【０００７】
本発明は、上記従来の風呂蓋の支持方法やその支持装置が有していた問題点の解決を課題とする。
【課題を解決するための手段】
【０００８】
上記の問題点を解決するために、本発明のうち、請求項１記載の発明では、風呂蓋の支持方法を、浴室の壁面に手摺りを固定保持した左右一対の取付基部で風呂蓋の下端を支持させ、壁面の適所に吸着固定した保持具で該風呂蓋の上端を係止することにより、風呂蓋を浴室の壁面に立て掛け状態に支持させるようにしたことを特徴とする。
【０００９】
また、請求項２記載の発明では、風呂蓋の支持装置を、浴室の壁面に固定される取付基部に風呂蓋を載置可能な受部が一体的に設けられた手摺りと、この手摺りの上側の浴室壁面に、磁石または吸盤で位置変更可能に吸着固定され、表面にレバー部材が回動可能に設けられた保持具とで構成し、手摺りの受部上に載置された風呂蓋の上部が、保持具のレバー部材で転倒不可に係止保持されるようにしたことを特徴とする。
【発明の効果】
【００１０】
請求項１記載の風呂蓋の支持方法では、手摺りの取付基部で風呂蓋の下端を支持し、壁面に吸着固定される保持具で風呂蓋の上端を係止することとしたので、浴槽に載せられていた風呂蓋を少ない移動距離で楽に壁面に立て掛けることができ、かつ、その状態で安全に風呂蓋を保持することができるという効果がある。
【００１１】
請求項２記載の風呂蓋の支持装置は、取付基部に受部が設けられた手摺りと、回動可能なレバー部材を有し壁面に吸着固定される保持具とで構成されているので、風呂蓋の支持にのみ用いられる部材を、何ら壁面にねじ止めなどの手段で固定する必要がなく、その位置決め固定という手間のかかる作業が、一切不要になる。また、保持具は磁石や吸盤で壁面に吸着固定されるようになっているので、その取付位置の変更が容易に行え、サイズや形状の異なる風呂蓋に対応できると共に、不要な際には、壁面から取り外すこともでき、浴室内を整然と片付けることができると共に、清掃も行い易くなるという効果がある。
【発明を実施するための最良の形態】
【００１２】
以下、本発明を図示した実施の形態に基づき詳細に説明する。
【００１３】
図１は、本発明の支持装置を用いて風呂蓋を浴室の壁面に支持した状態を示した斜視図である。図示したように本発明の風呂蓋の支持装置は、風呂蓋４の下端を支持する受部１３ａを備えた手摺り１と、風呂蓋４の上部を浴室の内側に倒れないように保持する保持具２とで構成されている。ここにおいて、支持される風呂蓋４として、二枚一組として用いられる所謂、二枚蓋と称せられるものを示している。
【００１４】
手摺り１は、図２の正面図並びに図３の側面図に示すように、水平部１ａと垂直部１ｂからなる正面視略Ｌ字形のものであり、水平部１ａが浴室の壁面Ｗに固定された左右一対の取付基部１１，１１で支持され、この水平部１ａの片側に連続した垂直部１ｂは、その上端が同様に壁面に固定された取付基部１２で支持されている。
【００１５】
この取付基部１１は、図４に示すように、浴室の壁面Ｗにベース部材１３をねじ止め固定し、このベース部材１３上に、内周に雌ねじ１４ａが設けられたナット状の連結フランジ１４を回転可能に取り付けたものであり、手摺り１の屈曲端部１ｃや、その中間部分に設けられた突出部１ｄの先端を、この連結フランジ１４内に挿入し、図５に矢印で示した方向に連結フランジ１４を回転させることにより、その内周に設けられた雌ねじ１４ａを、手摺り１の挿入部分の外周に設けられた雄ねじ（図示せず）に螺合させ、両者の連結をはかり、手摺り１を壁面Ｗに取り付けるようになっている。
【００１６】
図６は、この取付状態を示した断面図であり、図中符号４は、手摺り１の屈曲端部１ｃの先端に取り付けられたねじ部材を示し、その外周には上記連結フランジ１４の内周に設けられた雌ねじ１４ａと螺合する雄ねじが設けられている。
【００１７】
ここにおいて、本発明の風呂蓋の支持装置では、手摺り１の水平部１ａを支持した取付基部１１のベース部材１３は、図４に示したように、その上端が略Ｌ字形に前方に突出しており、これを風呂蓋４の受部１３ａとしている。
【００１８】
なお、図４において符号Ｗ1 は、浴室の壁面を構成した壁パネル、Ｗ2 は、この壁パネルＷ1 の裏面に添設された断熱材を示し、取付基部１１に対応した個所は、この断熱材Ｗ2 が除去されて補強合板１８と受金具１９とが取り付けられており、上記ベース部材１３が、タッピングねじ１６ａでこの補強合板１８にねじ止めされ、上記連結フランジ１４が、補強合板１８を貫通したねじ１７で受金具１９に回転可能に支持されるようになっている。また、１５ａ，１５ｂは、連結フランジ１４の内周突部１４ｂを挟むように取り付けられる座金、１５ｃは、緩み止めのばね座金を示す。また、図５と図６において、符号３は、連結フランジ１４の外周を覆う略円筒形のカバー部材を示す。
【００１９】
保持部材２は、図７に示すように、表面に嵌合凹所２１ｃを有する円柱状の突部２１ｂが突設された基板２１と、内周壁の所定位置に段部を有する係合凹所２３ａが裏面に設けられたレバー部材２３と、周囲に出没可能な弾性突部２２ｂが設けられた略環状のばね部材２２とからなり、基板２１の突部２１ｂにばね部材２２を介在させてレバー部材２３を，ねじ２４で回動可能に取り付けることにより、レバー部材２３の回動に伴って嵌合凹所２１ｃで位置決めされたばね部材２２の弾性突部２２ｃが係合凹所２３ａの段部と係脱し、レバー部材２３を間欠的に位置決め保持するようにしたものであり、基板２１の裏面に取り付けられた磁石や吸盤などの吸着手段２５により、浴室の壁面に吸着固定されるようになっている。
【００２０】
なお、図７において符号２１ａは、基板２１の楕円形の基部を示し、２２ｃは、ばね部材２２の周壁２２ａの外方に略円弧状に突出したガイドを示す。
【００２１】
本発明の風呂蓋の支持装置は、上記の構成を有している。したがって、この支持装置を用いた本発明の支持方法では、入浴の際、浴槽５の上面開放部５ａを覆った風呂蓋４を畳み、この風呂蓋４の一端を浴槽５の近傍に配置された手摺り１の受部１３ａに載せ、風呂蓋４を壁面Ｗに立て掛けるように保持した状態で、風呂蓋４の上端に対応する位置に予め設けられた保持具２のレバー部材２３を回動させるだけで、この風呂蓋４を図１に示すように、壁面Ｗに立て掛けた状態で、安全に倒れないように係止保持することができるものである。
【００２２】
また、この風呂蓋４を使用する時は、レバー部材２３を回動させて風呂蓋４の前面から移動させた後、風呂蓋４を斜め上方に持ち上げ、その下端を受部１３ａから外方に引き出せば良く、このことで風呂蓋４は、使用可能な状態に壁面Ｗから取り外される。この時、その直下には、浴槽５が位置しているので、このようにして壁面Ｗから取り外した風呂蓋４で直ちに浴槽５の上面を覆うことができる。
【００２３】
なお、図示した例では二枚に分割された風呂蓋４を示したが、本発明の風呂蓋の支持装置並びにその支持方法で支持される風呂蓋４は、その下端が手摺り１の取付基部１１側で支持され、その上端が壁面Ｗに移動可能に吸着固定される保持具２で係止保持されるようになっていれば良く、このように支持可能なものであれば、風呂蓋の形態は、どのようなものであっても良い。
【００２４】
また、上記では手摺り１の取付基部１１を構成したベース部材１３に風呂蓋４の下端を載置可能な受部１３ａを設けた例を示したが、本発明の風呂蓋の支持方法では、手摺り１の取付基部１１が風呂蓋４の支持を兼ねるようになっていれば良く、その支持の仕方は、図示した例に限られるものではない。
【図面の簡単な説明】
【００２５】
【図１】本発明の支持装置を用いて風呂蓋を浴室の壁面に支持した状態を示した斜視図である。
【図２】手摺りの正面図である。
【図３】手摺りの取付状態側面図である。
【図４】取付基部の分解斜視図である。
【図５】手摺りの取付説明図である。
【図６】手摺りの要部断面図である。
【図７】保持具の分解斜視図である。
【符号の説明】
【００２６】
１  手摺り
１ａ  水平部
１ｂ  垂直部
２  保持具
３  カバー
４  風呂蓋
５  浴槽
１１，１２  取付基部
１３  ベース部材
１３ａ  受部
１４  連結フランジ
１５ａ，１５ｂ  座金
１６ａ，１６ｂ  タッピングねじ
１７  ねじ
１８  補強合板
１９  取付金具
２１  基板
２１ｃ  嵌合凹所
２２  ばね部材
２２ｂ  弾性突部
２３  レバー部材
２３ａ  係合凹所
２５  吸着手段
Ｗ  壁面
【図１】
2005118067.tif 000003
【図２】
2005118067.tif 000004
【図３】
2005118067.tif 000005
【図４】
2005118067.tif 000006
【図５】
2005118067.tif 000007
【図６】
2005118067.tif 000008
【図７】
2005118067.tif 000009